(57)【特許請求の範囲】
【請求項１】
注出口（３）を備えた周壁（４）上部を内外２重筒部（６）、（７）に形成した容器体（１）と、
該容器体周壁の外筒部（７）へ螺合されたキャップ部材（３０）と、
該キャップ部材（３０）内へ嵌合され、かつ開口部（４３）が破断可能なシール材（４６）で閉塞されたカップ容器（４０）と、
該カップ容器（４０）の下方に設けられたシール材突刺し部（５）とを備え、
前記キャップ部材（３０）を前記容器体（１）に対して下降させることにより、前記カップ容器（４０）のシール材（４６）が前記シール材突刺し部（５）で破断されることで、前記カップ容器（４０）内の内容物が前記容器体（１）内へ流入可能に設け、
前記キャップ部材（３０）の下降下限時に前記カップ容器（４０）の下部が前記容器体周壁内筒部（６）の上部外面へ嵌合可能に設け、
前記キャップ部材（３０）頂板の中央部を上方へ膨出させて弾性変形自在な加圧部（３５）に形成し、
前記キャップ部材（３０）の下降下限時に、前記加圧部（３５）を下方へ弾性変形させることで発生する加圧空気を前記キャップ部材（３０）と前記カップ容器（４０）との間隙、カップ容器（４０）と容器体周壁内筒部（６）との嵌合による嵌合部およびシール材（４６）の破断部を介して前記容器体（１）内へ導入可能に設けることによって容器体（１）内の内容物を注出可能に設けた
ことを特徴とする２剤混合容器。
【請求項２】
前記シール材突刺し部（５）を前記容器体周壁の内筒部（６）上端に設けたことを特徴とする請求項１に記載の２剤混合容器。
【請求項３】
前記容器体周壁の外筒部（７）に取外し可能なストッパ部材（１４）を設けて、前記キャップ部材（３０）の上限位置での下端をストッパ部材（１４）へ当接させたことを特徴とする請求項１または２のいずれか１つに記載の２剤混合容器。
【発明の詳細な説明】
【技術分野】
【０００１】
本発明は、使用時に２種類の異なる剤を混合可能な２剤混合容器に関する。
【背景技術】
【０００２】
不使用時には同一容器内で別々に保存されている２剤を使用時に混合させる容器として、例えば、第１容器体の口頸部より有底の第２容器体を上方引抜き可能に垂設するとともに、その第２容器体の底壁の一部を弱化線で囲って、この弱化線内方の底壁部分を、第１容器体内に上方抜出し不能に内装した中栓に固着し、該底壁部分を除く第２容器体部分を引き上げることで、第２容器体内収納物が中栓に穿設した流下孔から第１容器体内へ流下可能に形成したものが知られている(特許文献１)。
【特許文献１】特開２００６−２０６１７４号公報
【発明の開示】
【発明が解決しようとする課題】
【０００３】
しかしながら特許文献１記載の発明では、第２容器体はインジェクションブロー成形ないしブロー成形で成形されるため、積層化が困難であり、したがって、酸素、窒素等のガスに対する透過抵抗性、すなわちバリヤ性を向上させることが難しく、このため第２容器体内容物の保存中での散逸や腐敗防止を効果的に行うことができないおそれがあった。
【０００４】
本発明の主たる目的は、一剤を収納するカップ容器のバリヤ性を向上させた２剤混合容器を提供することにある。
【０００５】
本発明の他の目的は、一剤の充填が容易で、かつ充填後の容器の組立ても容易な２剤混合容器を提供することにある。
【０００６】
本発明のさらなる他の目的は、混合剤の注出量の微調整が容易な２剤混合容器を提供することにある。
【課題を解決するための手段】
【０００７】
本発明は、注出口３を備えた周壁４上部を内外２重筒部６、７に形成した容器体１と、
該容器体周壁の外筒部７へ螺合されたキャップ部材３０と、
該キャップ部材３０内へ嵌合され、かつ開口部４３が破断可能なシール材４６で閉塞されたカップ容器４０と、
該カップ容器４０の下方に設けられたシール材突刺し部５とを備え、
前記キャップ部材３０を前記容器体１に対して下降させることにより、前記カップ容器４０のシール材４６が前記シール材突刺し部５で破断されることで、前記カップ容器４０内の内容物が前記容器体１内へ流入可能に設けたことを特徴とする。
また、本発明は、前記キャップ部材３０の下降下限時に前記カップ容器４０の下部が前記容器体周壁内筒部６の上部外面へ嵌合可能に設け、
前記キャップ部材３０頂板の中央部を上方へ膨出させて弾性変形自在な加圧部３５に形成し、
前記キャップ部材３０の下降下限時に、前記加圧部３５を下方へ弾性変形させることで発生する加圧空気を前記キャップ部材３０と前記カップ容器４０との間隙、カップ容器４０と容器体周壁内筒部６との嵌合による嵌合部およびシール材４６の破断部を介して前記容器体１内へ導入可能に設けることによって容器体１内の内容物を注出可能に設けたことを特徴とする。
【０００８】
さらに、本発明は、前記シール材突刺し部５を前記容器体周壁の内筒部６上端に設けたことを特徴とする。
【０００９】
さらに、本発明、前記容器体周壁の外筒部７に取外し可能なストッパ部材１４を設けて、前記キャップ部材３０の上限位置での下端をストッパ部材１４へ当接させたことを特徴とする。
【発明の効果】
【００１０】
本発明は、一剤が収納されるカップ容器はキャップ部材内へ嵌合可能であるから、カップ容器だけを別工程により積層成形してバリヤ性を向上させることができ、したがって、一剤の保存中での散逸および腐敗を効果的に防止することができる。
【００１１】
また、本発明は、カップ容器の開口部が破断可能なシール材で閉塞されるため、一剤の充填が容易であると共に、カップ容器はキャップ部材内へ嵌合可能であるから、充填後の組付けが容易である。
【００１２】
さらに、本発明は、混合物の注出は実質的にポンプとして機能する加圧部を圧搾することによって行うため、注出量の微調整が容易である。
【発明を実施するための最良の形態】
【００１３】
以下、本発明を、図面に示す実施の形態を参照しながら説明する。
【００１４】
図１において、１は容器体で、底壁２の中央部から注出口３を形成するノズルが垂下されており、また、底壁２周縁から周壁４が立設されている。
【００１５】
周壁４の上部は下面閉塞の内外２重筒部６、７に形成されている。内筒部６は周壁４下部とほぼ同一内径で、かつ内筒部６の上端にはシール材突刺し部５を構成する切断刃が突設されている。
【００１６】
外筒部７は内外２重筒部の下面を閉塞する外向きフランジ状壁８の外周部に立設された基筒部９と、下部が環状筒部１０に形成されていると共に上部に雄ネジが形成された雄ネジ筒部１１とから形成されていて、環状筒部１０が基筒部９へ抜け出し不能に嵌合されている。また、環状筒部１０と雄ネジとの間の雄ネジ筒部１１部分は小外径部に形成されていて、該小外径部外面には歯車状の係合部１２が周設されている。
【００１７】
該小外径部より下方の雄ネジ筒部１１部分を基筒部９とほぼ同一外径の中間径部にすることによって上向き段部１３を形成し、中間径部へストッパ部材１４としてのストッパリングを嵌合させて、該ストッパリング下端を上向き段部１３上へ当接させている。
【００１８】
ストッパリング１４は、リング材１５の一部に軸方向へ伸びる薄肉部１６を形成すると共に、薄肉部の近傍外面から摘み部１７を外方へ突設したもので、摘み部１７を外方へ引くと、薄肉部１６が破断することで雄ネジ筒部１１から取り外せるようになっている。なお、雄ネジ筒部１１の下部内面には加圧空気流路を形成する縦溝１８が周方向に間隔をおいて多数縦設されている。
【００１９】
容器体周壁４の下端部は小外径部２０に形成されていて、該小外径部には雄ネジが形成されている。該雄ネジにはノズル３内へ嵌合可能な栓部が突設された筒栓２１が螺合可能になっている。
【００２０】
３０はキャップ部材で、雄ネジ筒部１１の雄ネジへ螺合させた把持筒３１下端をストッパリング１４上端へ当接させている。把持筒３１の雌ネジ部より下方筒部分内面は小内径部に形小内径部内面には、係合部１２と係合する係合部３１ａが周設されている。また、成され、かつ把持筒３１上端内面に形成された内向きフランジ３２内周から有頂垂下筒３３を垂下して、該垂下筒３３を雄ネジ筒部１１内面へ嵌合させている。
【００２１】
垂下筒３３の底板３４は内向きフランジ３２よりやや下方に設けられている。底板３４の中央部は上方へ膨出されて薄肉の弾性変形自在な加圧部３５に形成されている。加圧部３５は内向きフランジ３２とほぼ同一高さに形成されている。また、底板３４下面には加圧部３５内へ連通する多数の加圧空気路３６が放射状に形成されている。さらに、垂下筒３３の下部内面には周方向に間隔をおいて多数の係合突条３７が縦設されていると共に、上端部には加圧空気の流路としての割溝３３ａが形成されている。３８は内向きフランジ３２下面に設けられたパッキンである。
【００２２】
４０は垂下筒３３内へ嵌合されたカップ容器で、底板４１周縁から胴部４２を起立させると共に、開口部４３に鍔部４４を備えている。
【００２３】
なお、カップ容器４０は、鍔部４４が雄ネジ筒部１１に形成されたストップ４４ａへ離脱可能に係合することで落下が防止される。
【００２４】
さらに、胴部４２の下部外面には周方向に間隔をおいて多数の係合突条４５が縦設されており、該突条は垂下筒３３の突条３７へ係合されている。なお、カップ容器４０の開口部４３は内容物が充填された後、アルミニウム等のシール材４６で閉塞される。また、カップ容器４０はバリヤ性を向上させるために積層成形によって成形する。
【００２５】
次に作用について説明する。
【００２６】
図１は混合直前の状態を示すもので、カップ容器４０には液体が、また容器体１内には粉末が、それぞれ収納されている。なお、このように混合直前には容器は図１に示すように倒立させられるのが好ましく、通常の保存状態では正立状態に保持する。
【００２７】
混合させるには、まずストッパ部材１４を取外した後、キャップ部材３０を回動させてカップ容器４０を回動させつつ下降させればよく、するとカップ容器が回動しつつシール材４６が切断刃５によって突き刺されるため、シール材４６の中央部が円形状にくり抜かれ、カップ容器内の液体が容器体内へ流入して混合される。なお、キャップ部材 の回動時には係合部１２、３１ａの係合によってクリック感が与えられる。
【００２８】
ノズル３から混合物を注出させるには、筒栓２１を外した後、加圧部３５を押せばよく、すると加圧空気が加圧空気路３６、カップ容器４０と垂下筒３３との間隙、縦溝１８およびシール材の破断部を介して容器体内へ導入され、これによって容器体内の混合物がノズル３から注出される。
図５は第２実施形態を示すもので、１００は容器体で、底壁１０２の中央部から注出口１０３を形成するノズルが垂下されており、また、底壁１０２周縁から周壁１０４が立設されている。
【００２９】
周壁１０４の上部は下面閉塞の内外２重筒部１０５、１０６に形成されている。内筒部１０５は、下端のフランジ１０５ａを２重筒部間の下面から起立する起立筒１０７下端内面へ嵌着させて起立する筒体から構成され、かつ該筒体の上端にはシール材突刺し部１０８を構成する切断刃が突設されている。起立筒１０７の下端部内面にはフランジ１０５ａへ係合して内筒１０５の回動を不能する縦リブ１０７ａが形成されている。
【００３０】
外筒部１０６は起立筒１０７の外側に位置して、内筒部１０５より高く形成され、かつ内面の上下方向中間部には雌ネジ部が形成され、また雌ネジ部より上方部分には係合部１０６ａが縦設されている。
【００３１】
一方、内外２重筒部１０５、１０６より下方で、かつ容器体底壁１０２より上方の容器体周壁部分は弾性変形可能な加圧部１０４ａに形成され、後述のキャップ部材の最下限時に、加圧部を加圧することで容器体内容物がノズルから注出可能に設けられている。
【００３２】
容器体周壁１０４の下端部は小外径部に形成されていて、該小外径部には雄ネジが形成されている。該雄ネジにはノズル内へ嵌合可能な栓部が突設された筒栓１０９が螺合可能になっている。
【００３３】
１１０はキャップ部材で、外筒部１０６の雌ネジ部へ螺合された雄ネジ筒部１１１を備えている。雄ネジ筒部１１１は上部が環状筒部１１２に形成され、環状筒部１１２と雄ネジとの間の雄ネジ筒部１１１部分は小外径部に形成されていて、該小外径部外面には係合部１０６ａと係合する歯車状の係合部１１３が周設されている。なお、雄ネジ筒部１１１の雄ネジはキャップ下限時においてシール突起としての役割を果たす。
【００３４】
該小外径部と環状筒部１１２との間の部分は中間径部にすることによって下向き段部１１４が形成され、中間径部へストッパ部材１１５としてのストッパリングを嵌合させて、該ストッパリング上端を下向き段部１１４上へ、下端を外筒部１０６上端へ、それぞれ当接させている。ストッパリングの構成は第１実施形態と同一であるから説明を省略する。
【００３５】
環状筒部１１２へ下部を嵌着させた嵌合筒１１６上端から内向きフランジを介して有頂垂下筒１１７を垂下して、該垂下筒１１７を雄ネジ筒部１１１内面へ嵌合させている。
【００３６】
１２０は垂下筒１１７へ嵌合されたカップ容器で、第１実施形態と異なる点は胴部高さが垂下筒１１７とほぼ等しい点である。したがって、鍔部１１８は垂下筒１１７下端へ当接している。なお、カップ容器１２０は、鍔部１１８が雄ネジ筒部１１１に形成されたストップ１１８ａへ離脱可能に係合することで落下が防止される。その他の構成は第１実施形態と同様であるから説明を省略する。
【００３７】
次に作用について説明する。
【００３８】
混合させるには、ストッパ部材１１５を取外した後、キャップ部材１１０を回動させてカップ容器１２０を回動させつつ下降させればよく、するとカップ容器が回動しつつシール材４６が切断刃１０８によって突き刺されるため、シール材の中央部が円形状にくり抜かれ、カップ容器内の液体が容器体内へ流入して混合される。キャップ部材の最下限位置では鍔部１１８は起立筒１０７上端へ当接可能になっている。
【００３９】
ノズル１０３から混合物を注出させるには、筒栓１０９を外した後、加圧部１０４ａを圧搾すればよく、これによって容器体内の混合物がノズルから注出される。
【００４０】
なお、上記いずれの実施形態においても、カップ容器４０、１２０内へ液体等の内容物を収納した後、シール材４６で開口部を閉塞し、次いでキャップ部材３０、１１０内へ嵌合させる。したがって、カップ容器の組立てが容易である。
【図面の簡単な説明】
【００４１】
【図１】本発明に係る２剤混合容器を示すもので、混合前の状態を示す縦断面図である。
【図２】ストッパ部材の斜視図である。
【図３】カップ容器の断面図である。
【図４】混合時の状態を示す図１相当図である。
【図５】第２実施形態を示す図１相当図である。
【図６】混合時の状態を示す図４相当図である。
【符号の説明】
【００４２】
１  容器体
２  底壁
３  注出口
４  周壁
５  シール材突刺し部
６、７  内外２重筒部
１４  ストッパ部材
３０  キャップ部材
３３  垂下筒
３５  加圧部
４０  カップ容器
４３  開口部
４４  鍔部
４６  シール材
１００  容器体
１０２  底壁
１０３  注出口
１０４  周壁
１０５、１０６  内外２重筒部
１０７  起立筒
１０８  シール材突刺し部
１１０  キャップ部材
１１５  ストッパ部材
１２０  カップ容器
【図１】
0005046298.tif 000002
【図２】
0005046298.tif 000003
【図３】
0005046298.tif 000004
【図４】
0005046298.tif 000005
【図５】
0005046298.tif 000006
【図６】
0005046298.tif 000007